(57)【要約】【課題】  操作が容易で、コストを低減でき、かつスペースを削減できる単体にてツリー検索が可能な表示付きスイッチを提供する。【解決手段】  単体にてツリー検索が可能な表示付きスイッチにおいて、揺動動作とプッシュ動作が可能な操作ボタン６と、この操作ボタン６の操作により動作するスイッチ機構と、このスイッチ機構の動作により表示を行う表示モジュール１０とを備え、前記操作ボタン６の揺動動作により前記表示モジュール１０の表示を選択させ、前記操作ボタン６のプッシュ動作により前記表示モジュール１０の表示を次の階層へ移行させる決定動作を行う。【選択図】  図１
2009037999.tif 000002
【特許請求の範囲】
【請求項１】
（ａ）揺動動作とプッシュ動作が可能な操作ボタンと、
（ｂ）該操作ボタンの操作により動作するスイッチ機構と、
（ｃ）該スイッチ機構の動作により表示を行う表示モジュールとを備え、
（ｄ）前記操作ボタンの揺動動作により前記表示モジュールの表示を選択させ、前記操作ボタンのプッシュ動作により前記表示モジュールの表示を次の階層へ移行させる決定動作を行うようにしたことを特徴とする単体にてツリー検索が可能な表示付きスイッチ。
【請求項２】
請求項１記載の単体にてツリー検索が可能な表示付きスイッチにおいて、前記揺動動作の一方の選択で前記表示モジュールの表示を前進させ、前記揺動動作のもう一方の選択で前記表示モジュールの表示を後退させることを特徴とする単体にてツリー検索が可能な表示付きスイッチ。
【発明の詳細な説明】
【技術分野】
【０００１】
本発明は、単体にてツリー検索が可能な表示付きスイッチに関するものである。
【背景技術】
【０００２】
従来の液晶表示付きスイッチ（下記特許文献１，２参照）の特徴は「操作する度に表示が切り替わるツリー検索が可能」なことである。ここで、「ツリー」構造とは、レコード間に親子関係があり、子レコードはただ一つの親レコードをもつデータの構造を言う。
【０００３】
図５は従来の液晶表示付きスイッチを示す図、図６はその液晶表示付きスイッチを複数個用いた使用例を示す図である。
【０００４】
図５において、１０１はスイッチ本体、１０２は操作ボタン、１０３はスイッチ機構部である。
【０００５】
ここでは、４個の液晶表示付きスイッチのいずれかを選択して操作ボタン１０２を押すことにより、図６に示すように、次の階層へ表示を移行させている。これを繰り返すことにより、目的に対応した検索を実施することができる。
【特許文献１】特開２００５−２１６６７３号公報
【特許文献２】特開２００５−２１６６７４号公報
【発明の開示】
【発明が解決しようとする課題】
【０００６】
上記したように、従来の液晶表示付きスイッチの特徴は「操作する度に表示が切り換わるツリー検索が可能」なことであるが、単体でのツリー検索はできず、ツリー検索を行うには複数個の液晶表示付きスイッチを使用するか、選択用の別のスイッチを組み合わせる必要があった。そのため、操作が面倒であり、かつコスト及びスペースの増大につながっていた。
【０００７】
本発明は、上記状況に鑑みて、操作が容易で、コストを低減でき、かつスペースを削減できる単体にてツリー検索が可能な表示付きスイッチを提供することを目的とする。
【課題を解決するための手段】
【０００８】
本発明は、上記目的を達成するために、
〔１〕単体にてツリー検索が可能な表示付きスイッチにおいて、揺動動作とプッシュ動作が可能な操作ボタンと、この操作ボタンの操作により動作するスイッチ機構と、このスイッチ機構の動作により表示を行う表示モジュールとを備え、前記操作ボタンの揺動動作により前記表示モジュールの表示を選択させ、前記操作ボタンのプッシュ動作により前記表示モジュールの表示を次の階層へ移行させる決定動作を行うようにしたことを特徴とする。
【０００９】
〔２〕上記〔１〕記載の単体にてツリー検索が可能な表示付きスイッチにおいて、前記揺動動作の一方の選択で前記表示モジュールの表示を前進させ、前記揺動動作のもう一方の選択で前記表示モジュールの表示を後退させることを特徴とする。
【発明の効果】
【００１０】
本発明によれば、１個の表示付きスイッチで目的に対応したツリー検索を簡単に行うことができる。
【発明を実施するための最良の形態】
【００１１】
本発明の単体にてツリー検索が可能な表示付きスイッチは、揺動動作とプッシュ動作が可能な操作ボタンと、この操作ボタンの操作により動作するスイッチ機構と、このスイッチ機構の動作により表示を行う表示モジュールとを備え、前記操作ボタンの揺動動作により前記表示モジュールの表示を選択させ、前記操作ボタンのプッシュ動作により前記表示モジュールの表示を次の階層へ移行させる決定動作を行う。
【実施例】
【００１２】
以下、本発明の実施の形態について詳細に説明する。
【００１３】
図１は本発明の単体にてツリー検索が可能な液晶表示付きスイッチの構成図、図２はその単体にてツリー検索が可能な液晶表示付きスイッチの選択操作時を示す図、図３はその単体にてツリー検索が可能な液晶表示付きスイッチの決定操作時を示す図である。
【００１４】
まず、図１において、１はプリント基板、２はスイッチの中央部の下部に配置されるプッシュスイッチ（タクトスイッチ）３を有する基部、４，５はスイッチの両側に配置されるプッシュスイッチ（タクトスイッチ）、６は揺動（選択）動作及びプッシュ（決定）動作が可能な操作ボタン、７は操作ボタン６の支持軸、８は操作ボタン６の支持軸７に巻かれているねじりコイルバネ、９は操作ボタン６のコイルバネである。操作ボタン６の支持軸７は揺動（選択）動作を可能にするように揺動可能であり、かつ、プッシュ（決定）動作を可能にするように上下に移動可能であり、コイルバネ９によりストロークを確保することができる。また、ねじりコイルバネ８により、操作ボタン６による選択操作が解除されると、図１に示されるようなホームポジションに操作ボタン６の位置を復帰できるように構成されている。１０はスイッチの中央の内部に配置される液晶表示モジュールであり、後述するように単体にてツリー検索が可能なように、操作ボタン６に開けられた窓に文字や図を表示可能になっている。操作ボタン６の下部には作動板１１が配置されている。１２は操作ボタン６の上面部が配置される窓１３を有するパネルである。
【００１５】
そこで、この単体にてツリー検索が可能な液晶表示付きスイッチの動作について説明する。
【００１６】
図２において、ツリー検索における操作ボタン６の左側が操作されて揺動（選択）動作が行われると、操作ボタン６は反時計回り方向に回転して、プッシュスイッチ（タクトスイッチ）４を動作させることになるので、ツリー検索における液晶表示の選択が行われる。
【００１７】
また、図３において、ツリー検索における操作ボタン６の中央部が操作されてプッシュ（決定）動作が行われると、操作ボタン６は下方へ移動し、作動板１１が基部２のプッシュスイッチ（タクトスイッチ）３を動作させることにより、ツリー検索における液晶表示の決定がなされる。
【００１８】
以下、単体でツリー検索が可能な液晶表示付きスイッチを用いたツリー検索例について説明する。
【００１９】
図４は本発明の単体にてツリー検索が可能な液晶表示付きスイッチを用いたツリー検索例を示す図である。
【００２０】
今、階層１において、「付属品」と表示されている液晶表示付きスイッチにおいて操作ボタン６の左側の揺動（選択）動作を行うと、表示が「リレー」に切り替わる。更に、操作ボタン６の左側の揺動（選択）動作を行う度に表示は「スイッチ」、「表示灯」と切り替わる。次いで、操作ボタン６の右側の揺動（選択）動作を行うと、表示は「スイッチ」に切り替わる。更に、操作ボタン６の右側の揺動（選択）動作を行う度に表示が「リレー」、「付属品」と切り替わる。つまり、操作ボタン６の左側の揺動（選択）動作により、表示を前進させて切り替えて行き、操作ボタン６の右側の揺動（選択）動作により、逆に表示を後退させて戻すことができる。
【００２１】
今、階層１が「スイッチ」と表示されている場合に操作ボタン６の中央部をプッシュすると、決定動作が行われ、階層２へ表示を移行させることができる。その階層２でも、操作ボタン６の左側の揺動（選択）動作を行う度に、スイッチの操作態様を示す「ロッカ」、「トグル」、「ロータリー」が表示される。さらに進むと、「前へ戻る」が表示され、そこで決定動作を行うと階層１へ戻る。
【００２２】
同様に、例えば、階層２の「トグル」が表示されている場合に、操作ボタン６の中央部をプッシュして決定動作を行うと、階層３に移行する。階層３ではトグルスイッチの製品群である「Ａシリーズ」、「Ｇシリーズ」、「Ｂシリーズ」が操作ボタン６の操作により順次表示され、更に「前へ戻る」が表示され、そこで操作ボタン６の中央部をプッシュして決定動作を行うと階層２へ戻ることができる。
【００２３】
上記実施例では、液晶表示付きスイッチについて述べたが、以下のような表示付きスイッチとして構成することができる。
【００２４】
（１）有機発光表示装置（有機発光ダイオードパネル）表示付きスイッチとする。この場合には、表示は視野角を大きくすることができるとともに、バックライトが不要になり、構造の簡素化と省エネルギー化を図ることができる。
【００２５】
（２）プラズマディスプレイ装置による表示付きスイッチとする。この場合には鮮やかな表示を行うことができる。
【００２６】
このように、選択動作で表示付きスイッチの表示を両方向に変化させ、決定動作で、次の階層へ表示を移行させることができる。これを繰り返すことにより、目的に応じた検索を実施することができる。
【００２７】
本発明によれば、
（１）揺動（選択）動作（波型操作）とプッシュ（決定）動作（押ボタン操作）を組み合わせた複合操作スイッチとすることができる。
【００２８】
（２）選択時の揺動動作（波型操作）においては、ねじりコイルバネを用いてストロークを確保するとともに、プッシュスイッチ（タクトスイッチ）を横に配置することにより確かなクリック感を実現することができる。
【００２９】
（３）決定時のプッシュ動作（押ボタン操作）では、操作荷重を重くしたプッシュスイッチ（タクトスイッチ）とねじりコイルバネを組み合わせることにより、従来のプッシュスイッチ（タクトスイッチ）にはないストロークを確保することができる。
【００３０】
（４）選択操作方向〔揺動動作（波型操作）〕と決定操作方向〔プッシュ動作（押ボタン操作）〕を変えることで誤動作の防止を実現することができる。
【００３１】
（５）操作性を考慮したデザインボタンとすることができる。
【００３２】
なお、本発明は上記実施例に限定されるものではなく、本発明の趣旨に基づき種々の変形が可能であり、これらを本発明の範囲から排除するものではない。
【産業上の利用可能性】
【００３３】
本発明の単体にてツリー検索が可能な表示付きスイッチは、操作が容易で、コストを低減することができ、かつスペースを削減できる単体にてツリー検索が可能な表示付きスイッチとして利用可能である。
【図面の簡単な説明】
【００３４】
【図１】本発明の単体にてツリー検索が可能な液晶表示付きスイッチの構成図である。
【図２】本発明の単体にてツリー検索が可能な液晶表示付きスイッチの選択操作時を示す図である。
【図３】本発明の単体にてツリー検索が可能な液晶表示付きスイッチの決定操作時を示す図である。
【図４】本発明の単体にてツリー検索が可能な液晶表示付きスイッチを用いたツリー検索例を示す図である。
【図５】従来の液晶表示付きスイッチを示す図である。
【図６】従来の液晶表示付きスイッチを複数個用いた使用例を示す図である。
【符号の説明】
【００３５】
１    プリント基板
２    基部
３，４，５    プッシュスイッチ（タクトスイッチ）
６    揺動（選択）動作及びプッシュ（決定）動作が可能な操作ボタン
７    操作ボタンの支持軸
８    ねじりコイルバネ
９    コイルバネ
１０    液晶表示モジュール
１１    作動板
１２    パネル
１３    窓
【図１】
2009037999.tif 000003
【図２】
2009037999.tif 000004
【図３】
2009037999.tif 000005
【図４】
2009037999.tif 000006
【図５】
2009037999.tif 000007
【図６】
2009037999.tif 000008